(57)【要約】【課題】レシートを抜き取り易くする。【解決手段】レシート排出口２２の上辺部分は、排出されるレシートの左右方向における両端よりも内側の位置にレシートと当接する突起（コシ付け突起３１）を備えている。レシート排出口の下辺部分は、レシートの左右方向における両端付近をレシートの下側から支持するステージ４０を備えている。突起は、レシート排出口の上辺部分から下方向に突出し、突起の下端部分は、ステージよりも下側に位置している。突起は、装置の前端面よりも後側に設けられている。突起は、レシート排出口の上辺部分の中央部に設けるようにしてもよい。また、突起は、カード挿入排出口の左右方向における両端付近と対向する位置に、少なくとも２つ設けるようにしてもよい。【選択図】図１
2020170423.tif 000002
【特許請求の範囲】
【請求項１】
レシート排出口を有する自動取引装置において、
前記レシート排出口の上辺部分は、排出されるレシートの左右方向における両端よりも内側の位置に、前記レシートと当接する突起を備え、
前記レシート排出口の下辺部分は、前記レシートの左右方向における両端付近を該レシートの下側から支持するステージを備え、
前記突起は、前記レシート排出口の上辺部分から下方向に突出し、該突起の下端部分は、前記ステージよりも下側に位置している
ことを特徴とする自動取引装置。
【請求項２】
レシート排出口を有する自動取引装置において、
前記レシート排出口の上辺部分は、排出されるレシートの左右方向における両端よりも内側の位置に、前記レシートと当接する突起を備え、
前記レシート排出口の下辺部分は、前記レシートの左右方向における両端付近を該レシートの下側から支持するステージを備え、
前記ステージは、前記レシートの両端付近に下側から当接する少なくとも２つのステージ突起を有しており、
前記突起と前記ステージ突起は、上下方向に重なり合っている
ことを特徴とする自動取引装置。
【請求項３】
請求項２に記載の自動取引装置において、
前記突起の下端部分は、前記ステージよりも下に突出している
ことを特徴とする自動取引装置。
【請求項４】
請求項１乃至請求項３のいずれか一項に記載の自動取引装置において、
前記突起は、装置の前端面よりも後側に設けられている
ことを特徴とする自動取引装置。
【請求項５】
請求項１乃至請求項４のいずれか一項に記載の自動取引装置において、
前記突起は、前記レシート排出口の上辺部分の中央部に設けられている
ことを特徴とする自動取引装置。
【請求項６】
請求項１乃至請求項４のいずれか一項に記載の自動取引装置において、
カードを挿入及び排出するためのカード挿入排出口さらに有し、
前記レシート排出口は、下側に設けられた前記カード挿入排出口と上下方向に連通しており、
前記突起は、前記カード挿入排出口の左右方向における両端付近と対向する位置に、少なくとも２つ設けられている
ことを特徴とする自動取引装置。
【発明の詳細な説明】
【技術分野】
【０００１】
本発明は、自動取引装置に関する。
【背景技術】
【０００２】
一般に、自動取引装置は、内部に感熱紙がロール状に巻かれたロール紙を収容しており、レシートの発行時に、ロール紙に対して印字処理と切断処理とを行うことで所定の長さのレシートを作成して、レシート排出口から排出する。これにより、自動取引装置は、顧客にレシートを発行する。自動取引装置の多くは、カード挿入排出口の上にレシート排出口を備えており、レシートの発行時（カードの返却時）に、カードとレシートとを同時に排出する。これにより、自動取引装置は、カードとレシートとを一緒に顧客に抜き取らせる。
【先行技術文献】
【特許文献】
【０００３】
【特許文献１】特許第５６０７００８号公報（図２）
【発明の概要】
【発明が解決しようとする課題】
【０００４】
しかしながら、従来の自動取引装置は、以下に説明するように、レシートを抜き取り難い場合があった。
【０００５】
ロール紙は、レシートの発行が繰り返し行われることによって、徐々に小径になっていく。ロール紙が小径になると、発行されるレシートに付いているカール癖（発券方向に巻かれる癖）が強くなる。
【０００６】
従来の自動取引装置は、レシートのカール癖を規制する手段を有していない。そのため、従来の自動取引装置では、小径になったロール紙からレシートを作成して発行した場合に、レシートの前端部分がレシート排出口の上側に向かってカールしてしまうことがあった。
【０００７】
このようなレシートは、掴み取り難く、また、顧客から見え難い。そのため、従来の自動取引装置では、顧客がカードと同時にカールしたレシートを掴み取ることが困難になり、レシートの抜き取りに手間取ってしまうことがあった。
【０００８】
本発明は、前記した課題を解決するためになされたものであり、レシートを抜き取り易くした自動取引装置を提供することを主な目的とする。
【課題を解決するための手段】
【０００９】
前記目的を達成するため、本発明は、レシート排出口を有する自動取引装置において、前記レシート排出口の上辺部分は、排出されるレシートの左右方向における両端よりも内側の位置に、前記レシートと当接する突起を備え、前記レシート排出口の下辺部分は、前記レシートの左右方向における両端付近を該レシートの下側から支持するステージを備え、前記突起は、前記レシート排出口の上辺部分から下方向に突出し、該突起の下端部分は、前記ステージよりも下側に位置している構成とする。
【発明の効果】
【００１０】
本発明によれば、装置からレシートを抜き取り易くすることができる。
【図面の簡単な説明】
【００１１】
【図１】実施形態１に係る自動取引装置の全体構成を示す斜視図である。
【図２Ａ】実施形態１に係る自動取引装置のレシート排出口の構成を示す正面図である。
【図２Ｂ】実施形態１に係る自動取引装置のレシート排出口の構成を示す側断面図である。
【図２Ｃ】実施形態１に係る自動取引装置のレシート排出口から排出されたレシートの前端部分の形状を示す説明図である。
【図３Ａ】実施形態２に係る自動取引装置のレシート排出口の構成を示す正面図である。
【図３Ｂ】実施形態２に係る自動取引装置のレシート排出口の構成を示す側断面図である。
【図３Ｃ】実施形態２に係る自動取引装置のレシート排出口から排出されたレシートの前端部分の形状を示す説明図である。
【図４Ａ】実施形態３に係る自動取引装置のレシート排出口の構成を示す正面図である。
【図４Ｂ】実施形態３に係る自動取引装置のレシート排出口の構成を示す側断面図である。
【図４Ｃ】実施形態３に係る自動取引装置のレシート排出口から排出されたレシートの前端部分の形状を示す説明図である。
【図５】実施形態３の変形例に係るレシート排出口の構成を示す正面図である。
【発明を実施するための形態】
【００１２】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１３】
なお、従来の自動取引装置では、前端部分がカールしたレシートが発行されたときに、顧客がレシートの発行に気が付かずにカードのみを抜き取ってしまうことで、レシートの取り忘れが発生することがあった。本発明は、このような課題を解決することも意図している。
【００１４】
［実施形態１］
＜自動取引装置の構成＞
以下、図１を参照して、本実施形態１に係る自動取引装置１の構成について説明する。図１は、本実施形態１に係る自動取引装置１の全体構成を示す斜視図である。
【００１５】
（自動取引装置の全体構成）
本実施形態に係る自動取引装置１は、利用者の操作に応じて自動的に取引を実行する装置である。ここでは、自動取引装置１が、例えば、金融機関や流通機関で用いられているＡＴＭ（Ａｕｔｏｍａｔｉｃ  Ｔｅｌｌｅｒ  Ｍａｃｈｉｎｅ：現金自動預け払い機）として構成されている場合を想定して説明する。ただし、自動取引装置１は、出金専用のキャッシュディスペンサであってもよい。
【００１６】
図１に示すように、本実施形態１に係る自動取引装置１は、媒体取扱部２、表示操作部３、テンキー４、紙幣入出金部５、及び、ハンドセット６を有している。
媒体取扱部２は、カードやレシート等の各種媒体を取り扱う部位である。
表示操作部３は、各種情報を表示するとともに、利用者による操作を受け付ける部位である。
テンキー４は、０〜９の番号キーや、エンタキー、取消キー等である。
紙幣入出金部５は、紙幣が投入及び排出される部位である。
ハンドセット６は、遠隔地にいる行員等と会話するための受話器である。
【００１７】
媒体取扱部２には、カード挿入排出口２１とレシート排出口２２とが設けられている。
カード挿入排出口２１は、カード１１（図２Ａ参照）が挿入及び排出される開口部である。
レシート排出口２２は、取引結果等が印字されたレシート１２（図２Ａ参照）が排出される開口部である。
【００１８】
カード挿入排出口２１の後側には、カード部Ｕ１１（図２Ｂ参照）が配置されている。カード部Ｕ１１は、顧客によりカード挿入排出口２１から挿入されたカード１１に対して磁気情報のリードやライト等の処理を行い、カード挿入排出口２１から顧客に返却する。
【００１９】
レシート排出口２２の後側には、レシート部Ｕ１２（図２Ｂ参照）が配置されている。レシート部Ｕ１２は、その内部に感熱紙がロール状に巻かれたロール紙（図示せず）を収容している。レシート部Ｕ１２は、レシート１２の発行時に、ロール紙を搬送させながら、ロール紙に対して印字処理と切断処理とを行うことで、所定の長さのレシート１２を作成して、レシート排出口２２から排出する。
【００２０】
（レシート排出口の構成）
以下、図２Ａ乃至図２Ｃを参照して、レシート排出口２２の構成について説明する。図２Ａは、レシート排出口２２の構成を示す正面図である。図２Ｂは、レシート排出口２２の構成を示す側断面図である。図２Ｃは、レシート排出口２２から排出されたレシート１２の前端部分の形状を示す説明図である。図２Ｂ及び図２Ｃは、図２Ａに示すレシート排出口２２をＸ１−Ｘ１線に沿って切断して得られる断面を、側面方向（矢印方向）から見たレイアウトを示している。なお、本実施形態はレシート排出口２２の構成に特徴を有しているが、ここでは、カード挿入排出口２１の構成についても説明する。
【００２１】
図２Ａは、レシート１２の前端部分の姿勢を二点鎖線で仮想的に示している（図３Ａ、図４Ａ、図５も同様である）。図２Ｂは、レシート１２の前端部分を削除して示している（図３Ｂ、図４Ｂも同様である）。
【００２２】
図２Ａ及び図２Ｂに示すように、カード挿入排出口２１及びレシート排出口２２は、それぞれ、横幅方向が左右方向（水平方向）と一致した状態で、手前側（前方）から奥側（後方）に向かって形成されている。
【００２３】
カード挿入排出口２１の縦幅及び横幅は、カード１１の厚さ及び横幅に対して十分に広くなっている。これにより、顧客は、カード１１を容易に掴むことができ、抜き取ることができる。
【００２４】
レシート排出口２２の縦幅及び横幅は、レシート１２の厚さ及び横幅に対して十分に広くなっている。これにより、顧客は、レシート１２を容易に掴むことができ、抜き取ることができる。
【００２５】
また、レシート排出口２２の横幅は、カード挿入排出口２１の横幅よりも広くなっているとともに、レシート排出口２２とカード挿入排出口２１との間には、開口部ＯＰ２１が設けられている。これにより、レシート排出口２２とカード挿入排出口２１とは、段差状に形成されている。つまり、段差の上側にレシート排出口２２が設けられ、段差の下側にカード挿入排出口２１が設けられ、レシート排出口２２とカード挿入排出口２１との間に開口部ＯＰ２１が設けられている。
【００２６】
具体的には、レシート排出口２２は、正面視において、下辺部分の左右方向における中央付近に設けられた開口部ＯＰ２１によってカード挿入排出口２１と連通している。したがって、レシート排出口２２の下辺部分とカード挿入排出口２１の上辺部分は、仕切られておらず一体となっている（図２Ａ参照）。
【００２７】
レシート排出口２２は、カード挿入排出口２１の上方に、例えば１（ｃｍ）以内に近接して配置されている。また、カード挿入排出口２１及びレシート排出口２２は、ともに、自動取引装置１の正面側の媒体取扱部２用に設けられたエリア内に設けられている。なお、媒体取扱部２の色は、好ましくは、レシート１２の視認性を向上させて、顧客にレシート１２の発行を認識し易くするために、レシート１２とは異なる色（白以外の色）であるとよい。
【００２８】
レシート排出口２２の上辺部分には、排出されるレシート１２の両端よりも内側の位置に、レシート排出口２２の上辺部分から下方向に突出するコシ付け突起３１を備えている。より具体的には、レシート排出口２２の上辺部分における中央付近に、リブ状のコシ付け突起３１を備えている。コシ付け突起３１は、レシート排出口２２から排出されるレシート１２と当接することで、レシート１２にコシ（カールし難くする特性）を付けるための突起である。コシ付け突起３１は、正面視において、レシート１２の左右方向における中央部を押し下げて、レシート１２の前端部分を下方向、具体的にはカード挿入排出口２１側へ案内する。
【００２９】
本実施形態では、コシ付け突起３１は、レシート排出口２２の上辺部分の中央部に１つ設けられている。また、本実施形態では、コシ付け突起３１がレシート排出口２２の上辺部分から下方向に延在する板状の形状を呈している。
【００３０】
コシ付け突起３１は、装置から取り出し可能なユニットであるレシート部Ｕ１２ではなく、自動取引装置１のフレーム側に設けられている（図２Ｂ参照）。
【００３１】
レシート排出口２２の下辺部分は、レシート１２の左右方向における両端付近を下側から支持するステージ４０を備えている。また、レシート排出口２２の下辺部分におけるステージ４０が存在しない部分に開口部ＯＰ２１が設けられており、ステージ４０と開口部ＯＰ２１との境界が段差状に形成されている。ステージ４０は、レシート１２の左右方向における両端付近を下側から支持することで、レシート１２がカード挿入排出口２１側に垂れ下がることを防止する。
【００３２】
コシ付け突起３１の下端部分は、ステージ４０よりも下に突出している。換言すると、コシ付け突起３１の下端部分とステージ４０とで入れ子構造を形成している。これにより、正面視において、コシ付け突起３１はレシート１２の左右方向における中央部を押し下げながら、ステージ４０はレシート１２の左右方向における両端付近をレシート１２の下側から支持することにより、レシート１２の前端部分の姿勢をＶ字状に矯正することができる。その結果、コシ付け突起３１は、レシート１２にコシ（カールし難くする特性）を与えることができる。
【００３３】
なお、コシ付け突起３１の下端部分は、カード挿入排出口２１よりも上に設けられている。また、コシ付け突起３１の下端部分における後側の形状は、レシート１２を排出する際の搬送負荷とならない形状になっている。本実施形態では、コシ付け突起３１の下端部分における後側の形状は、後方から下方に向かって緩いカーブを付けた湾曲形状になっている。
【００３４】
レシート排出口２２から排出されたレシート１２の前端部分は、側面視において、図２Ｃに示す形状になっている。すなわち、左右方向の中央部がコシ付け突起３１の下端部分における後側の形状に沿う形状に変形し、左右方向の端部付近がステージ４０の上に乗り上げた形状に変形する。
【００３５】
コシ付け突起３１は、排出されるレシート１２の前端部分が正面視でＶ字形状を呈するように、コシ付け角度θ１が設定される。その際に、コシ付け突起３１の突出量Ｌ１（図２Ｂ参照）は、設定したいコシ付け角度θ１（図２Ａ参照）に応じて決められる。
【００３６】
ここで、「コシ付け突起３１の突出量」とは、レシート排出口２２の上辺部分からのコシ付け突起３１の頂点（下端）までの距離を意味している。
【００３７】
また、「コシ付け角度」とは、ステージ４０の上面に対するレシート１２の端部の傾斜角度を意味している。本実施形態では、コシ付け角度θ１（図２Ａ参照）は、ステージ４０の上面に対する、ステージ４０の端部とレシート１２とが接する点とコシ付け突起３１の頂点とを結んだ線の傾斜角度となっている。
【００３８】
なお、コシ付け突起３１は、距離Ｄ１（図２Ｂ参照）分だけ、自動取引装置１の前端面５１よりも後側に設けられている。これにより、外側からコシ付け突起３１を見え難くすることができ、悪意ある人物がコシ付け突起３１に触れて悪戯することを防止することができる。
【００３９】
係る構成において、自動取引装置１では、レシート１２の発行が繰り返し行われることによって、レシート部Ｕ１２（図２Ｂ参照）に収容されたロール紙（図示せず）が小径になる。そのため、レシート１２の元になるロール紙のカール癖が強くなる。自動取引装置１は、小径になったロール紙からレシート１２を作成して発行する場合に、カール癖が強くなったレシート１２をレシート部Ｕ１２（図２Ｂ参照）からレシート排出口２２に搬送して排出する。その際に、自動取引装置１は、カード１１の上にレシート１２を重ねて排出する。
【００４０】
自動取引装置１は、レシート１２の前端部分の左右方向における両端部分をステージ４０で支持するとともに、レシート１２の前端部分の中央部をコシ付け突起３１で押し下げる。これにより、自動取引装置１は、排出されるレシート１２の前端部分をカール癖の方向に対して垂直方向に撓ませる。つまり、自動取引装置１は、排出されるレシート１２の前端部分をカール癖とは逆向きに撓ませる。これにより、自動取引装置１は、レシート１２の前端部分にコシ（カールし難くする特性）を与えて、レシート１２のカール癖を矯正することができる。
【００４１】
その結果、自動取引装置１は、レシート１２の前端部分を上側に向かってカールさせることなく真っ直ぐな状態で、カード１１の上にレシート１２を重ねて発行することができる。このような自動取引装置１は、レシート１２を抜き取り易くすることができる。そのため、顧客は、同時に排出されたレシート１２とカード１１を一緒に抜き取り易くなる。
【００４２】
また、このような自動取引装置１は、従来の自動取引装置と異なり、レシート１２を発行する際に前端部分のカールを矯正して真っ直ぐな状態にするため、顧客がレシート１２を視認し易くなり、レシート１２の発行に気が付かずにカード１１のみを抜き取ってしまうことを防止することができる。これにより、レシート１２の取り忘れの発生を防止することができる。
【００４３】
以上の通り、本実施形態１に係る自動取引装置１によれば、レシート１２を抜き取り易くすることができる。
【００４４】
［実施形態２］
以下、図３Ａ乃至図３Ｃを参照して、本実施形態２に係る自動取引装置１Ａのレシート排出口２２Ａの構成について説明する。図３Ａは、本実施形態２に係る自動取引装置１Ａのレシート排出口２２Ａの構成を示す正面図である。図３Ｂは、本実施形態２に係る自動取引装置１Ａのレシート排出口２２Ａの構成を示す側断面図である。図３Ｃは、本実施形態２に係る自動取引装置１Ａのレシート排出口２２Ａから排出されたレシート１２の前端部分の形状を示す説明図である。図３Ｂ及び図３Ｃは、図３Ａに示すレシート排出口２２ＡをＸ２−Ｘ２線に沿って切断して得られる断面を、側面方向（矢印方向）から見たレイアウトを示している。
【００４５】
図３Ａ及び図３Ｂに示すように、本実施形態２に係る自動取引装置１Ａは、実施形態１に係る自動取引装置１（図２Ａ及び図２Ｂ参照）と比較すると、レシート排出口２２の代わりに、レシート排出口２２Ａを備えている点で相違している。
【００４６】
本実施形態２に係るレシート排出口２２Ａは、実施形態１に係るレシート排出口２２（図２Ａ及び図２Ｂ参照）と比較すると、頂点（下端）が開口部ＯＰ２１（図３Ａ参照）の中に入り込むように、２つのコシ付け突起３１が所望の間隔をあけて設けられている点で相違している。ただし、コシ付け突起３１の数は、２つ以上にすることも可能である。
【００４７】
つまり、本実施形態２に係るレシート排出口２２Ａでは、実施形態１と比べて、２つのコシ付け突起３１がそれぞれステージ４０に比較的近い位置に設けられている。そして、それぞれのコシ付け突起３１の下端部分は、ステージ４０よりも下に突出している。これにより、正面視において、２つのコシ付け突起３１はレシート１２の左右方向における中央部を水平に押し下げながら、２つのステージ４０はレシート１２の左右方向における両端部分を斜め上方向に撓ませる。その結果、２つのコシ付け突起３１と２つのステージ４０は、レシート１２にコシ（カールし難くする特性）を与えて、レシート１２のカール癖を矯正することができる。なお、レシート排出口２２Ａは、左右対称の構成になっている。
【００４８】
コシ付け突起３１とステージ４０との間隔は、排出されるレシート１２の負荷とならない間隔（つまり、排出されるレシート１２が引っ掛かる等の搬送障害を起こさない間隔）に設定される。
【００４９】
レシート排出口２２Ａから排出されたレシート１２の前端部分は、側面視において、図３Ｃに示す形状になっている。すなわち、左右方向の中央部がコシ付け突起３１の下端部分における後側の形状に沿う形状に変形し、左右方向の端部付近がステージ４０の上に乗り上げた形状に変形する。
【００５０】
コシ付け突起３１は、排出されるレシート１２の前端部分が正面視で左右方向における両端部分を斜め上方向に傾斜させた形状を呈するように、コシ付け角度θ２が設定される。その際に、コシ付け突起３１の突出量Ｌ２（図３Ｂ参照）は、設定したいコシ付け角度θ２（図３Ａ参照）に応じて決められる。なお、本実施形態では、コシ付け突起３１がステージ４０に近い位置に設けられているため、突出量Ｌ２（図３Ｂ参照）が実施形態１の突出量Ｌ１（図２Ｂ参照）よりも小さな値になる。
【００５１】
本実施形態では、コシ付け角度θ２（図３Ａ参照）は、ステージ４０の上面に対する、ステージ４０の端部とレシート１２とが接する点とコシ付け突起３１の頂点とを結んだ線の傾斜角度となっている。
【００５２】
なお、コシ付け突起３１は、距離Ｄ２（図３Ｂ参照）分だけ、自動取引装置１Ａの前端面５１よりも後側に設けられている。距離Ｄ２（図３Ｂ参照）は、実施形態１の距離Ｄ１（図２Ｂ参照）と同様の値としている。
【００５３】
係る構成において、自動取引装置１Ａでは、２つのコシ付け突起３１がレシート１２の前端部分の左右方向における中央部と当接することで中央部を下方向に案内しながら、２つのステージ４０でレシート１２の前端部分の左右方向における両端部分を斜め上方向に撓ませる。これにより、自動取引装置１Ａは、レシート１２の前端部分にコシを与えて、レシート１２のカール癖を矯正することができる。
【００５４】
このような自動取引装置１Ａは、実施形態１に係る自動取引装置１と同様に、レシート１２の前端部分が上側に向かってカールしてしまうことを矯正し、真っ直ぐな状態でカード１１の上にレシート１２を重ねて発行することができる。このような自動取引装置１Ａは、レシート１２を抜き取り易くすることができる。そのため、顧客は、同時に排出されたレシート１２とカード１１を一緒に抜き取り易くなる。
【００５５】
また、このような自動取引装置１Ａは、レシート１２を発行する際に前端部分のカールを矯正して真っ直ぐな状態にするため、顧客がレシート１２を視認し易くなり、レシート１２の発行に気が付かずにカード１１のみを抜き取ってしまうことを防止することができる。これにより、レシート１２の取り忘れの発生を防止することができる。
【００５６】
また、実施形態１と比較して、コシ付け突起３１をステージ４０に近づけることで、突出量Ｌ２の値を小さくしながらもコシ付け角度θ２を確保することができる。このような自動取引装置１Ａは、実施形態１の突出量Ｌ１（図２Ｂ参照）よりもコシ付け突起３１の突出量Ｌ２（図３Ｂ参照）の値を小さくすることができるため、レシート１２の前端部分とカード１１とを離間させることができる。これにより、自動取引装置１Ａは、エンボス処理がされているカード１１との間でレシート１２が引っ掛かりを起こさないようにすることができる。また、自動取引装置１Ａは、装置の外部からコシ付け突起３１を目視し難くすることができ、悪意ある人物がコシ付け突起３１に触れて悪戯することを防止することができる。
【００５７】
以上の通り、本実施形態２に係る自動取引装置１Ａによれば、実施形態１に係る自動取引装置１と同様に、レシート１２を抜き取り易くすることができる。
【００５８】
［実施形態３］
以下、図４Ａ乃至図４Ｃを参照して、本実施形態３に係る自動取引装置１Ｂのレシート排出口２２Ｂの構成について説明する。図４Ａは、本実施形態３に係る自動取引装置１Ｂのレシート排出口２２Ｂの構成を示す正面図である。図４Ｂは、本実施形態３に係る自動取引装置１Ｂのレシート排出口２２Ｂの構成を示す側断面図である。図４Ｃは、本実施形態３に係る自動取引装置１Ｂのレシート排出口２２Ｂから排出されたレシート１２の前端部分の形状を示す説明図である。図４Ｂ及び図４Ｃは、図４Ａに示すレシート排出口２２ＢをＸ３−Ｘ３線に沿って切断して得られる断面を、側面方向（矢印方向）から見たレイアウトを示している。
【００５９】
図４Ａ及び図４Ｂに示すように、本実施形態３に係る自動取引装置１Ｂは、実施形態２に係る自動取引装置１Ａ（図３Ａ及び図３Ｂ参照）と比較すると、レシート排出口２２Ａの代わりに、レシート排出口２２Ｂを備えている点で相違している。
【００６０】
本実施形態３に係るレシート排出口２２Ｂは、実施形態２に係るレシート排出口２２Ａ（図３Ａ及び図３Ｂ参照）と比較すると、左右のステージ４０がそれぞれステージ突起４１を有している点で相違している。ただし、ステージ突起４１の数は、２つ以上にすることも可能である。
【００６１】
左右のステージ突起４１は、ステージ４０の上面におけるレシート１２の両端付近と当接する位置に設けられており、ステージ４０の上面から上側に向かって突出するように形成されている。実施形態３では、左右のステージ突起４１は、ステージ４０の開口部ＯＰ２１側の端部に設けられている。
【００６２】
コシ付け突起３１とステージ突起４１は、上下方向に重なり合っている。つまり、コシ付け突起３１の下端部分は、ステージ突起４１の上端部分よりも下に突出している。換言すると、コシ付け突起３１の下端部分とステージ突起４１の上端部分とで入れ子構造を形成している。これにより、正面視において、２つのコシ付け突起３１はレシート１２の左右方向における中央部を水平に押し下げながら、２つのステージ突起４１はレシート１２の左右方向における両端部分を斜め上方向に撓ませる。その結果、２つのコシ付け突起３１と２つのステージ突起４１は、レシート１２にコシ（カールし難くする特性）を与えて、レシート１２のカール癖を矯正することができる。
【００６３】
ステージ突起４１は、コシ付け突起３１と同様に、自動取引装置１Ｂから取り出し可能なユニットであるレシート部Ｕ１２ではなく、自動取引装置１Ｂのフレーム側に設けられている。その際、ステージ突起４１の突出量Ｌ４は、レシート１２の搬送の妨げにならないように、レシート排出口２２Ｂの高さより低く設定される。なお、レシート排出口２２Ｂは、左右対称の構成になっている。
【００６４】
コシ付け突起３１とステージ突起４１との間隔は、排出されるレシート１２の負荷とならない間隔（つまり、排出されるレシート１２が引っ掛かる等の搬送障害を起こさない間隔）に設定される。
【００６５】
レシート排出口２２Ｂから排出されたレシート１２の前端部分は、側面視において、図４Ｃに示す形状になっている。すなわち、左右方向の中央部がコシ付け突起３１の下端部分における後側の形状に沿う形状に変形し、左右方向の端部付近がステージ突起４１の上に乗り上げた形状に変形する。
【００６６】
コシ付け突起３１は、排出されるレシート１２の前端部分が正面視で左右方向における両端部分を斜め上方向に傾斜させた形状を呈するように、コシ付け角度θ３が設定される。その際に、コシ付け突起３１の突出量Ｌ３（図４Ｂ参照）は、設定したいコシ付け角度θ３（図４Ａ参照）に応じて決められる。
【００６７】
本実施形態では、コシ付け角度θ３（図４Ａ参照）は、水平方向に対する、ステージ突起４１の頂点とコシ付け突起３１の頂点とを結んだ線の傾斜角度となっている。
【００６８】
なお、コシ付け突起３１は、距離Ｄ３（図４Ｂ参照）分だけ、自動取引装置１Ｂの前端面５１よりも後側に設けられている。距離Ｄ３（図４Ｂ参照）は、実施形態２の距離Ｄ２（図３Ｂ参照）と同様の値としている。
【００６９】
係る構成において、自動取引装置１Ｂでは、２つのコシ付け突起３１がレシート１２の前端部分の左右方向における中央部と当接することで中央部を下方向に案内しながら、２つのステージ突起４１でレシート１２の前端部分の左右方向における両端部分を斜め上方向に撓ませる。これにより、自動取引装置１Ｂは、レシート１２の前端部分にコシを与えて、レシート１２のカール癖を矯正することができる。
【００７０】
このような自動取引装置１Ｂは、実施形態２に係る自動取引装置１Ａと同様に、レシート１２の前端部分が上側に向かってカールしてしまうことを矯正し、真っ直ぐな状態でカード１１の上にレシート１２を重ねて発行することができる。このような自動取引装置１Ｂは、実施形態２に係る自動取引装置１Ａと同様に、レシート１２を抜き取り易くすることができる。そのため、顧客は、同時に排出されたレシート１２とカード１１を一緒に抜き取り易くなる。
【００７１】
また、コシ付け突起３１をステージ４０に近づけるとともに、ステージ４０の上面から突出するステージ突起４１を設けたことで、実施形態２と比較して、コシ付け突起３１の突出量Ｌ３の値を小さくしながらもコシ付け角度θ３を確保することができる。このような自動取引装置１Ｂは、実施形態２の突出量Ｌ２（図３Ｂ参照）よりもコシ付け突起３１の突出量Ｌ３（図４Ｂ参照）の値を小さくすることができるため、レシート１２の前端部分とカード１１とをさらに離間させることができる。これにより、自動取引装置１Ｂは、実施形態２の自動取引装置１Ａよりも、さらにエンボス処理がされているカード１１との間でレシート１２が引っ掛かりを起こさないようにすることができる。また、自動取引装置１Ｂは、装置の外部からコシ付け突起３１とステージ突起４１とを目視し難くすることができ、悪意ある人物がコシ付け突起３１とステージ突起４１とに触れて悪戯することを防止することができる。
【００７２】
なお、自動取引装置１Ｂのコシ付け突起３１の下端部分は、好ましくは、ステージ４０よりも下側に位置しているとよい。このような自動取引装置１Ｂは、レシート１２の前端部分の姿勢をステージ突起４１の上端部分からコシ付け突起３１の下端部分までの高さ分だけ矯正することができる。その矯正量は、実施形態２に係る自動取引装置１Ａの矯正量よりも大きくすることができる。そのため、自動取引装置１Ｂは、レシート１２に実施形態２に係る自動取引装置１Ａよりも強いコシを付けることができる。
【００７３】
以上の通り、本実施形態３に係る自動取引装置１Ｂによれば、他の実施形態に係る自動取引装置と同様に、レシート１２を抜き取り易くすることができる。
【００７４】
なお、本発明は、前記した実施形態に限定されるものではなく、本発明の要旨を逸脱しない範囲で種々の変更や変形を行うことができる。
【００７５】
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００７６】
また、例えば、実施形態３のレシート排出口２２Ｂ（図４Ａ参照）は、例えば、図５に示すレシート排出口２２Ｃのように変形してもよい。図５は、変形例に係るレシート排出口２２Ｃの構成を示す正面図である。図５に示す例では、レシート排出口２２Ｃは、左右及び上下方向に延在する壁状の形状を呈するコシ付け突起３１を有している。実施形態３で説明したレシート排出口２２Ｂ（図４Ａ参照）は、リブ状のコシ付け突起３１を左右に有する構造になっている。これに対して、レシート排出口２２Ｃは、左右方向に連続して一体に形成された壁状のコシ付け突起３１を有する構造になっている。
【００７７】
このようなレシート排出口２２Ｃは、以下の理由により、実施形態３のレシート排出口２２Ｂよりも、コシ付け突起３１に破損等の異常が発生することを低減することができる。例えば、実施形態３のリブ状のコシ付け突起３１（図４Ａ参照）は、空間内に突出するように存在しており、目立つため、顧客の興味を引いてしまう可能性がある。そのため、実施形態３のレシート排出口２２Ｂでは、顧客がコシ付け突起３１に触手してしまい易い。このような実施形態３のレシート排出口２２Ｂは、コシ付け突起３１に破損等の異常が発生してしまう可能性がある。これに対し、変形例の壁状のコシ付け突起３１は、レシート排出口２２Ｃの外観の一部として周囲に一体化して見えるため目立つことなく、顧客の興味を引き難い。このような変形例に係るレシート排出口２２Ｃは、実施形態３のレシート排出口２２Ｂよりも、顧客がコシ付け突起３１に触手したことによるコシ付け突起３１の破損等の異常の発生を低減することができる。
【００７８】
また、変形例の壁状のコシ付け突起３１は、実施形態３のリブ状のコシ付け突起３１よりも高い強度を確保することができる。そのため、変形例に係るレシート排出口２２Ｃは、コシ付け突起３１を破損し難くすることができる。
【符号の説明】
【００７９】
１，１Ａ，１Ｂ    自動取引装置
２    媒体取扱部
３    表示操作部
４    テンキー
５    紙幣入出金部
６    ハンドセット
１１    カード
１２    レシート
２１    カード挿入排出口
２２，２２Ａ，２２Ｂ，２２Ｃ    レシート排出口
３１    コシ付け突起（突起）
４０    ステージ
４１    ステージ突起
５１    前端面
Ｄ１，Ｄ２，Ｄ３    距離
Ｌ１，Ｌ２，Ｌ３，Ｌ４    突出量
ＯＰ２１    開口部
Ｕ１１    カード部
Ｕ１２    レシート部
θ１，θ２，θ３    コシ付け角度
【図１】
2020170423.tif 000003
【図２Ａ】
2020170423.tif 000004
【図２Ｂ】
2020170423.tif 000005
【図２Ｃ】
2020170423.tif 000006
【図３Ａ】
2020170423.tif 000007
【図３Ｂ】
2020170423.tif 000008
【図３Ｃ】
2020170423.tif 000009
【図４Ａ】
2020170423.tif 000010
【図４Ｂ】
2020170423.tif 000011
【図４Ｃ】
2020170423.tif 000012
【図５】
2020170423.tif 000013